(57)【要約】【課題】  必要最小限の数のスピーカにより、ステレオ再生又はサラウンド再生を行う際の再生の切り替えを容易に行うことができるようにする。【解決手段】  システムマイコン及び再生信号処理部により、２つの左ｃｈスピーカ３００及び右ｃｈスピーカ４００を駆動することが可能なステレオ再生と、左ｃｈスピーカ３００、右ｃｈスピーカ４００及びテレビジョン装置（ＴＶ）２００のスピーカ２０２，２０３を駆動することが可能なサラウンド再生とに対応する音声信号処理を行うようにし、ステレオ再生に対応する音声信号処理を行うとき、音声信号を２つの左ｃｈスピーカ３００及び右ｃｈスピーカ４００から出力し、サラウンド再生に対応する音声信号処理を行うとき、音声信号を２つの左ｃｈスピーカ３００及び右ｃｈスピーカ４００と、テレビジョン装置の２つのスピーカ２０２，２０３とから出力するようにする。【選択図】  図２
2006115023.tif 000002
【特許請求の範囲】
【請求項１】
２つのスピーカを駆動することが可能なステレオ再生と、４つ以上のスピーカを駆動することが可能なサラウンド再生とに対応する音声信号処理を行う信号処理手段と、
前記信号処理手段からの音声信号を出力する２つの第１スピーカと、 
少なくとも放送信号を受信して映像を表示するとともに、前記放送信号又は前記信号処理手段からの音声信号を出力する２つの第２スピーカを有するテレビジョン装置とを備え、
前記信号処理手段は、前記ステレオ再生に対応する音声信号処理を行うとき、前記音声信号を前記第１スピーカに出力し、前記サラウンド再生に対応する音声信号処理を行うとき、前記音声信号を前記第１スピーカ及び前記第２スピーカに出力する
ことを特徴とするＡＶシステム。 
【請求項２】
前記信号処理手段は、前記ステレオ再生に対応する音声信号処理を行うとき、前記音声信号を前記第１スピーカに出力するように切り替えるとともに、前記サラウンド再生に対応する音声信号処理を行うとき、前記音声信号を前記第１スピーカ及び前記第２スピーカに出力するように切り替える切替手段を有することを特徴とする請求項１に記載のＡＶシステム。
【請求項３】
前記信号処理手段は、 
前記ステレオ再生に対応する音声信号処理を行うとき、前記第１スピーカにフロントチャンネルの信号を出力し、 
前記サラウンド再生に対応する音声信号処理を行うとき、前記第１スピーカにリアチャンネルの信号を出力し、前記第２スピーカにフロントチャンネルの信号を出力する
ことを特徴とする請求項１又は２に記載のＡＶシステム。 
【請求項４】
２つのスピーカを駆動することが可能なステレオ再生と、４つ以上のスピーカを駆動することが可能なサラウンド再生とに対応する音声信号処理を行う工程と、
前記音声信号処理された音声信号を２つの第１スピーカから出力する工程と、 
少なくとも放送信号を受信して映像を表示するとともに、前記放送信号又は信号処理手段からの音声信号をテレビジョン装置の２つの第２スピーカから出力する工程とを有し、
前記ステレオ再生に対応する音声信号処理を行うとき、前記音声信号が前記第１スピーカに出力され、前記サラウンド再生に対応する音声信号処理を行うとき、前記音声信号が前記第１スピーカ及び前記第２スピーカに出力される
ことを特徴とするＡＶ再生方法。 
【請求項５】
前記ステレオ再生に対応する音声信号処理を行うとき、切替手段により、前記音声信号が前記第１スピーカに出力するように切り替えられるとともに、前記サラウンド再生に対応する音声信号処理を行うとき、前記音声信号が前記第１スピーカ及び前記第２スピーカに出力するように切り替えられる工程を有することを特徴とする請求項４に記載のＡＶ再生方法。
【請求項６】
前記ステレオ再生に対応する音声信号処理を行うとき、前記第１スピーカにフロントチャンネルの信号が出力される工程と、 
前記サラウンド再生に対応する音声信号処理を行うとき、前記第１スピーカにリアチャンネルの信号が出力され、前記第２スピーカにフロントチャンネルの信号が出力される工程とを有する
ことを特徴とする請求項４又は５に記載のＡＶ再生方法。 
【発明の詳細な説明】
【技術分野】
【０００１】
本発明は、ホームシアターを実現するサラウンドシステムにおけるスピーカの個数を最小限とし、ステレオ再生とサラウンド再生との切り替えを行うＡＶシステムに関する。
【背景技術】
【０００２】
近年、ＤＶＤ等の大容量メディアの普及に伴い、ＡＶアンプによってＤＶＤソフトに収録されているドルビーデジタル等の音声信号から左右のフロントｃｈ（チャンネル）や左右のリアｃｈ（チャンネル）の信号等がデジタル処理されることにより、家庭でも映画館と同じような音響効果をもたらすことができるサラウンドシステムが普及しつつある。
【０００３】
図８は、たとえば４ｃｈのサラウンドシステムの一例を示すものであり、テレビジョン装置（ＴＶ）１に接続されるＡＶアンプ内蔵のＤＶＤプレーヤー２と、左フロントｃｈスピーカ３と、右フロントｃｈスピーカ４と、左リアｃｈスピーカ５と、右リアｃｈスピーカ６とを備えている。また、左フロントｃｈスピーカ３及び右フロントｃｈスピーカ４は視聴者の正面に配置され、左リアｃｈスピーカ５及び右リアｃｈスピーカ６は視聴者の背面に配置される。なお、ここでのＤＶＤプレーヤー２は、たとえば４ｃｈサラウンドに対応したＡＶアンプを内蔵した場合を例示しているが、ＡＶアンプとしては、ＤＶＤプレーヤー２に内蔵されたものに限らず、単体とされているものもある。
【０００４】
また、サラウンドシステムには、４ｃｈ以外に、センターｃｈスピーカ用のチャンネルを追加した場合の５ｃｈと、この５ｃｈにセンターウーハー用のチャンネルを追加した場合の５．１ｃｈと、この５．１ｃｈにリアセンターｃｈスピーカ用のチャンネルを追加した場合の６ｃｈと、この６ｃｈにリアウーハー用のチャンネルを追加した場合の６．１ｃｈも用意されている。
【０００５】
図９は、図８のＤＶＤプレーヤー２のＡＶアンプの内部構成を示す図であり、システムマイコン１０、再生信号処理部２０、信号コントロール部３０、パワーアンプ４０ａ〜４０ｄ、スピーカ端子５０ａ〜５０ｄを備えている。
【０００６】
再生信号処理部２０のＤＶＤユニット２１によってＤＶＤソフトが再生されると、ＤＶＤソフトに収録されているドルビーデジタル等の音声信号がＤＳＰ２２によってデジタル処理され、ＣＯＤＥＣ２３により、左フロントｃｈ、右フロントｃｈ、左リアｃｈ、右リアｃｈのそれぞれのアナログ音声信号が出力される。
【０００７】
そして、各ｃｈのアナログ音声信号が信号コントロール部３０によってレベル調整され、パワーアンプ４０ａ〜４０ｄによって増幅されると、スピーカ端子５０ａ〜５０ｄから左フロントｃｈスピーカ３、右フロントｃｈスピーカ４、左リアｃｈスピーカ５、右リアｃｈスピーカ６に出力される。
【０００８】
ところで、このようなサラウンドシステムでは、４ｃｈ〜６．１ｃｈのいずれかで映画館と同じような音響効果を得ようとすると、４つ以上のスピーカが必要となるばかりか、それぞれのスピーカを視聴位置を囲むように配置しなければならない。この場合、これらのスピーカを配置するために、広いスペースがあれば何ら問題はないが、多くの家庭では住宅事情等により広いスペースを確保することは困難である。
【０００９】
そこで、特許文献１に示されている５．１ｃｈサラウンドシステムのように、ＡＶアンプを搭載した機器本体を視聴者の視聴位置の背面側に配置し、センタースピーカとテレビジョン受像機の左右スピーカを視聴位置の前面側に配置するときに、左右のリアスピーカの音量設定に必要な機器本体とセンタースピーカとの間の距離を、専用ケーブルに形成されているスケールを用いて把握できるようにすることで、必要最小限の数のスピーカによりサラウンド音場再生が可能となる。
【特許文献１】特開２００２−１７１６００号公報
【発明の開示】
【発明が解決しようとする課題】
【００１０】
ところで、一般に、ステレオ再生により、迫力のある良質な音だけを楽しみたいとき、視聴位置の前面側に少なくとも左右のスピーカが配置されていればよいことになるが、特許文献１でのサラウンドシステムの場合、機器本体を視聴位置の前面側に配置することで迫力のある音を聞くことができる。この場合、特許文献１では、機器本体の左右のスピーカの位置が視聴位置の背面側とは逆になってしまうため、左右のフロントチャンネルに対応した音声信号が逆になるようにシステムマイコンによりスイッチを切り換えるようにしている。
【００１１】
ところが、このようなシステムマイコンによりスイッチの切り替えが行われるようにするためには、機器本体を視聴位置の背面側に配置するときと、機器本体を視聴位置の前面側に配置するときの各々において、システムの設定をし直す必要があるため、その設定操作が煩わしいという問題がある。
【００１２】
ちなみに、機器本体を視聴位置の背面側に配置したときの設定のままで、機器本体を視聴位置の前面側に配置すると、左右の音が逆になってしまい、テレビジョン受像機に映し出された映像と一致しなくなってしまう。
【００１３】
また、特許文献１では、機器本体を視聴位置の背面側と前面側のいずれに配置した場合であっても、テレビジョン受像機の左右のスピーカからは左右のフロントチャンネルに対応した音声が出力される構成となっているため、機器本体を視聴位置の前面側に配置したときに機器本体の左右のスピーカからの左右の音が逆になっていると、テレビジョン受像機の左右のスピーカからの音と混在してしまい、違和感を覚えてしまうことになる。
【００１４】
たとえ、機器本体を視聴位置の前面側に配置したときに機器本体の左右のスピーカからの左右の音が合っていたとしても、機器本体とテレビジョン受像機との位置が近くなり、機器本体の左右のスピーカからの音質とテレビジョン受像機の左右のスピーカからの音質との違いが顕著になってしまうことからも、違和感を覚えてしまうことになる。この場合、テレビジョン受像機の左右のスピーカからの音の出力を停止させればよいが、そのためにはテレビジョン受像機側のスイッチを操作して音の出力を停止させる必要があり、その操作が煩わしいこともある。
【００１５】
解決しようとする問題点は、必要最小限の数のスピーカにより、ステレオ再生又はサラウンド再生を行う際、それぞれの再生の切り替えが煩わしいという点である。 
【課題を解決するための手段】
【００１６】
本発明のＡＶシステムは、２つのスピーカを駆動することが可能なステレオ再生と、４つ以上のスピーカを駆動することが可能なサラウンド再生とに対応する音声信号処理を行う信号処理手段と、前記信号処理手段からの音声信号を出力する２つの第１スピーカと、少なくとも放送信号を受信して映像を表示するとともに、前記放送信号又は信号処理手段からの音声信号を出力する２つの第２スピーカを有するテレビジョン装置とを備え、前記信号処理手段は、前記ステレオ再生に対応する音声信号処理を行うとき、前記音声信号を前記第１スピーカに出力し、前記サラウンド再生に対応する音声信号処理を行うとき、前記音声信号を前記第１スピーカ及び前記第２スピーカに出力することを特徴とする。
また、前記信号処理手段は、前記ステレオ再生に対応する音声信号処理を行うとき、前記音声信号を前記第１スピーカに出力するように切り替えるとともに、前記サラウンド再生に対応する音声信号処理を行うとき、前記音声信号を前記第１スピーカ及び前記第２スピーカに出力するように切り替える切替手段を有するようにすることができる。
また、前記信号処理手段は、前記ステレオ再生に対応する音声信号処理を行うとき、前記第１スピーカにフロントチャンネルの信号を出力し、前記サラウンド再生に対応する音声信号処理を行うとき、前記第１スピーカにリアチャンネルの信号を出力し、前記第２スピーカにフロントチャンネルの信号を出力するようにすることができる。
本発明のＡＶ再生方法は、２つのスピーカを駆動することが可能なステレオ再生と、４つ以上のスピーカを駆動することが可能なサラウンド再生とに対応する音声信号処理を行う工程と、前記音声信号処理された音声信号を２つの第１スピーカから出力する工程と、少なくとも放送信号を受信して映像を表示するとともに、前記放送信号又は信号処理手段からの音声信号をテレビジョン装置の２つの第２スピーカから出力する工程とを有し、前記ステレオ再生に対応する音声信号処理を行うとき、前記音声信号が前記第１スピーカに出力され、前記サラウンド再生に対応する音声信号処理を行うとき、前記音声信号が前記第１スピーカ及び前記第２スピーカに出力されることを特徴とする。
また、前記ステレオ再生に対応する音声信号処理を行うとき、切替手段により、前記音声信号が前記第１スピーカに出力するように切り替えられるとともに、前記サラウンド再生に対応する音声信号処理を行うとき、前記音声信号が前記第１スピーカ及び前記第２スピーカに出力するように切り替えられる工程を有するようにすることができる。
また、前記ステレオ再生に対応する音声信号処理を行うとき、前記第１スピーカにフロントチャンネルの信号が出力される工程と、前記サラウンド再生に対応する音声信号処理を行うとき、前記第１スピーカにリアチャンネルの信号が出力され、前記第２スピーカにフロントチャンネルの信号が出力される工程とを有するようにすることができる。
本発明に係るＡＶシステムでは、信号処理手段により、２つのスピーカを駆動することが可能なステレオ再生と、４つ以上のスピーカを駆動することが可能なサラウンド再生とに対応する音声信号処理を行うことができ、ステレオ再生に対応する音声信号処理を行うとき、音声信号を２つの第１スピーカから出力し、サラウンド再生に対応する音声信号処理を行うとき、音声信号を２つの第１スピーカ及びテレビジョン装置の２つの第２スピーカから出力することができる。
【発明の効果】
【００１７】
本発明のＡＶシステムによれば、信号処理手段により、ステレオ再生に対応する音声信号処理を行うとき、音声信号を２つの第１スピーカから出力し、サラウンド再生に対応する音声信号処理を行うとき、音声信号を２つの第１スピーカ及びテレビジョン装置の２つの第２スピーカから出力するようにしたので、必要最小限の数のスピーカにより、ステレオ再生又はサラウンド再生を行う際の再生の切り替えを容易に行うことができる。 
【発明を実施するための最良の形態】
【００１８】
本実施形態でのＡＶシステムでは、信号処理手段により、２つのスピーカを駆動することが可能なステレオ再生と、４つ以上のスピーカを駆動することが可能なサラウンド再生とに対応する音声信号処理を行うようにし、ステレオ再生に対応する音声信号処理を行うとき、音声信号を２つの第１スピーカから出力し、サラウンド再生に対応する音声信号処理を行うとき、音声信号を２つの第１スピーカ及びテレビジョン装置の２つの第２スピーカから出力することで、必要最小限の数のスピーカにより、ステレオ再生又はサラウンド再生を行う際の再生の切り替えを容易に行うことができるようにした。 
【００１９】
以下、本発明の実施の形態について説明する。
図１は、本発明のＡＶシステムの一実施形態におけるステレオ動作状態の概要を示す図、図２は、本発明のＡＶシステムの一実施形態におけるサラウンド動作状態の概要を示す図、図３は、図１のＡＶアンプ内蔵のＤＶＤプレーヤーの正面側を示す図、図４は、図３のＤＶＤプレーヤーの背面側を示す図、図５及び図６は、図１のＤＶＤプレーヤーのＡＶアンプの内部構成を示す図、図７は、ＡＶシステムの動作を説明するためのフローチャートである。
【００２０】
本実施形態におけるＡＶシステムは、図１及び図２に示すように、ＡＶアンプ内蔵のＤＶＤプレーヤー１００と、テレビジョン装置（ＴＶ）２００と、左ｃｈスピーカ３００と、右ｃｈスピーカ４００とを備えている。
【００２１】
そして、ＤＶＤプレーヤー１００には、オーディオ／ビデオ出力用のケーブル１０１を介してテレビジョン装置（ＴＶ）２００が接続されている。また、ＤＶＤプレーヤー１００には、オーディオ出力用のケーブル１０２，１０３を介して第１スピーカとしての２つの左ｃｈスピーカ３００と右ｃｈスピーカ４００とが接続されている。なお、ここでのＤＶＤプレーヤー１００は、たとえば４ｃｈサラウンドに対応したＡＶアンプを内蔵した場合を例示しているが、ＡＶアンプとしては、ＤＶＤプレーヤー１００に内蔵されたものに限らず、単体とされているものを使用してもよい。
【００２２】
また、サラウンドとしては、４ｃｈ以外に、センターｃｈスピーカ用のチャンネルを追加した場合の５ｃｈと、この５ｃｈにセンターウーハー用のチャンネルを追加した場合の５．１ｃｈと、この５．１ｃｈにリアセンターｃｈスピーカ用のチャンネルを追加した場合の６ｃｈと、この６ｃｈにリアウーハー用のチャンネルを追加した場合の６．１ｃｈのいずれかを採用してもよいことは勿論である。
【００２３】
テレビジョン装置（ＴＶ）２００には、表示部２０１と、第２スピーカとしての２つのスピーカ２０２，２０３とが内蔵されており、オーディオ／ビデオ出力用のケーブル１０１を介しての映像信号が表示部２０１から出力され、音声信号がスピーカ２０２，２０３から出力されるようになっている。なお、ここでのスピーカ２０２，２０３は、説明の都合上、それぞれ１つとした場合について示しているが、高音、中音の２つであってもよいし、高音、中音、低音の３つであってもよい。
【００２４】
そして、ステレオ動作状態（ステレオ再生時）においては、図１に示すように、左ｃｈスピーカ３００と右ｃｈスピーカ４００とを視聴者の正面に配置することで、迫力のある良質な音を楽しむことができるようになっている。一方、サラウンド動作状態（サラウンド再生時）においては、図２に示すように、左ｃｈスピーカ３００と右ｃｈスピーカ４００とを視聴者の背面に配置することで、家庭でも映画館と同じような音響効果を楽しむことができるようになっている。
【００２５】
図３は、ＡＶアンプ内蔵のＤＶＤプレーヤー１００の正面を示すものであり、ＤＶＤ再生部１０４、動作状態を示すモニタ部１０４a、操作ボタン１０５が設けられている。 
【００２６】
図４は、ＡＶアンプ内蔵のＤＶＤプレーヤー１００の背面を示すものであり、テレビジョン装置（ＴＶ）２００へのオーディオ出力端子１０６、左ｃｈスピーカ３００へのスピーカ端子１０７、右ｃｈスピーカ４００へのスピーカ端子１０８を備えている。
【００２７】
図５及び図６は、ＤＶＤプレーヤー１００のＡＶアンプの内部構成を示すものであり、図５はステレオ動作状態（ステレオ再生時）を示し、図６はサラウンド動作状態（サラウンド再生時）を示している。
【００２８】
図５及び図６に示すように、ＡＶアンプは、システムマイコン１１０、再生信号処理部１２０、信号コントロール部１３０、フロント信号ラインアンプ１４０ａ、パワーアンプ１４０ｂ，１４０ｃを備えている。なお、システムマイコン１１０及び再生信号処理部１２０により、信号処理手段が構成されている。
【００２９】
システムマイコン１１０は、視聴者からのたとえば図示しないリモコンによる設定指示に基づき、再生信号処理部１２０に対してステレオ再生に対応する音声信号処理又はサラウンド再生に対応する音声信号処理を指示する。
【００３０】
再生信号処理部１２０は、ＤＶＤソフトを再生するＤＶＤユニット１２１、ＤＶＤソフトに収録されているドルビーデジタル等の音声信号をデジタル処理するＤＳＰ１２２、左フロントｃｈ及び右フロントｃｈのアナログ音声信号又は左フロントｃｈ、右フロントｃｈ、左リアｃｈ及び右リアｃｈのアナログ音声信号を出力するＤＡＣ１２３を備えている。
【００３１】
そして、ＤＡＣ１２３からの左フロントｃｈ、右フロントｃｈ、左リアｃｈ及び右リアｃｈのそれぞれのアナログ音声信号は、左フロント出力端１２０ａ、右フロント出力端１２０ｂ、左リア出力端１２０ｃ及び右リア出力端１２０ｄから出力されるようになっている。
【００３２】
信号コントロール部１３０は、切替手段としての切替スイッチ１３０ａ〜１３０ｄ、ボリュウムアンプ１３１ａ〜１３１ｄを備えている。ここで、ステレオ動作状態（ステレオ再生時）にあっては、切替スイッチ１３０ａ〜１３０ｄの全てがＡ，Ｂ，Ｃ端子のうち、Ａ端子側に切り替えられ、サラウンド動作状態（サラウンド再生時）にあっては、切替スイッチ１３０ａ〜１３０ｄの全てがＡ，Ｂ，Ｃ端子のうち、Ｂ端子側に切り替えられるようになっている。
【００３３】
ここで、切替スイッチ１３０ａのＢ端子には、上述した左フロント出力端１２０ａが接続され、切替スイッチ１３０ｂのＢ端子には、上述した右フロント出力端１２０ｂが接続されている。また、切替スイッチ１３０ｃのＡ端子には、上述した左フロント出力端１２０ａが接続され、切替スイッチ１３０ｃのＢ端子には、上述した左リア出力端１２０ｃが接続されている。また、切替スイッチ１３０ｄのＡ端子には、上述した右フロント出力端１２０ｂが接続され、切替スイッチ１３０ｄのＢ端子には、上述した右リア出力端１２０ｄが接続されている。
【００３４】
フロント信号ラインアンプ１４０ａは、ボリュウムアンプ１３１ａ，１３１ｂの出力を、テレビジョン装置（ＴＶ）２００への出力となるオーディオ出力端子１０６へ出力する。
【００３５】
パワーアンプ１４０ｂは、ボリュウムアンプ１３１ｃの出力を、左ｃｈスピーカ３００への出力となるスピーカ端子１０７へ出力する。パワーアンプ１４０ｃは、ボリュウムアンプ１３１ｄの出力を、右ｃｈスピーカ４００への出力となるスピーカ端子１０８へ出力する。
【００３６】
次に、ＡＶシステムの動作を、図７により説明する。
まず、ステレオ再生を行う場合（ステップＳ１）、図１に示したように、左ｃｈスピーカ３００と右ｃｈスピーカ４００とを視聴者の正面に配置する（ステップＳ２）。
【００３７】
そして、再生信号処理部１２０のＤＶＤユニット１２１によってＤＶＤソフトが再生されるとき、システムマイコン１１０からの制御により、ＤＡＣ１２３からは左フロントｃｈ及び右フロントｃｈのアナログ音声信号が出力される（ステップＳ３）。このとき、システムマイコン１１０からの制御により、図５に示すように、信号コントロール部１３０の切替スイッチ１３０ａ〜１３０ｄの全てがＡ，Ｂ，Ｃ端子のうち、Ａ端子側に切り替えられる（ステップＳ４）。
【００３８】
これにより、ＤＡＣ１２３からの左フロントｃｈのアナログ音声信号が信号コントロール部１３０のボリュウムアンプ１３１ｃからパワーアンプ１４０ｂを経てスピーカ端子１０７から左ｃｈスピーカ３００へ出力される（ステップＳ５）。
【００３９】
また、ＤＡＣ１２３からの右フロントｃｈのアナログ音声信号が信号コントロール部１３０のボリュウムアンプ１３１ｄを経てスピーカ端子１０８から右ｃｈスピーカ４００へ出力される（ステップＳ６）。これにより、視聴者の正面に配置された左ｃｈスピーカ３００と右ｃｈスピーカ４００とによって、ステレオ再生により迫力のある良質な音を楽しむことができる。
【００４０】
これに対し、サラウンド再生を行う場合（ステップＳ７）、図２に示したように、左ｃｈスピーカ３００と右ｃｈスピーカ４００とを視聴者の背面に配置する（ステップＳ８）。
【００４１】
そして、再生信号処理部１２０のＤＶＤユニット１２１によってＤＶＤソフトが再生されるとき、システムマイコン１１０からの制御により、ＤＡＣ１２３からは左フロントｃｈ、右フロントｃｈ、左リアｃｈ及び右リアｃｈのアナログ音声信号が出力される（ステップＳ９）。このとき、システムマイコン１１０からの制御により、図６に示すように、信号コントロール部１３０の切替スイッチ１３０ａ〜１３０ｄの全てがＡ，Ｂ，Ｃ端子のうち、Ｂ端子側に切り替えられる（ステップＳ１０）。
【００４２】
これにより、ＤＡＣ１２３からの左フロントｃｈ及び右フロントｃのアナログ音声信号が信号コントロール部１３０のボリュウムアンプ１３１ａ，１３１ｂからフロント信号ラインアンプ１４０ａを経てオーディオ出力端子１０６からテレビジョン装置（ＴＶ）２００の２つのスピーカ２０２，２０３へ出力される（ステップＳ１１）。
【００４３】
また、ＤＡＣ１２３からの左リアｃｈのアナログ音声信号が信号コントロール部１３０のボリュウムアンプ１３１ｃを経てスピーカ端子１０７から左ｃｈスピーカ３００へ出力される（ステップＳ１２）。また、ＤＡＣ１２３からの右リアｃｈのアナログ音声信号が信号コントロール部１３０のボリュウムアンプ１３１ｄを経てスピーカ端子１０８から右ｃｈスピーカ４００へ出力される（ステップＳ１３）。これにより、テレビジョン装置（ＴＶ）２００の２つのスピーカ２０２，２０３と、視聴者の背面に配置した左ｃｈスピーカ３００及び右ｃｈスピーカ４００によって、家庭でも映画館と同じような音響効果を楽しむことができる。
【００４４】
このように、本実施形態では、システムマイコン１１０及び再生信号処理部１２０により、２つの左ｃｈスピーカ３００及び右ｃｈスピーカ４００を駆動することが可能なステレオ再生と、左ｃｈスピーカ３００、右ｃｈスピーカ４００及びテレビジョン装置（ＴＶ）２００のスピーカ２０２，２０３を駆動することが可能なサラウンド再生とに対応する音声信号処理を行うようにし、ステレオ再生に対応する音声信号処理を行うとき、音声信号を２つの左ｃｈスピーカ３００及び右ｃｈスピーカ４００から出力し、サラウンド再生に対応する音声信号処理を行うとき、音声信号を２つの左ｃｈスピーカ３００及び右ｃｈスピーカ４００と、テレビジョン装置の２つのスピーカ２０２，２０３とから出力するようにしたので、必要最小限の数のスピーカにより、ステレオ再生又はサラウンド再生を行う際の再生の切り替えを容易に行うことができる。 
【産業上の利用可能性】
【００４５】
車載用のＡＶシステムにも適用可能である。
【図面の簡単な説明】
【００４６】
【図１】本発明のＡＶシステムの一実施形態におけるステレオ動作状態の概要を示す図である。
【図２】本発明のＡＶシステムの一実施形態におけるサラウンド動作状態の概要を示す図である。
【図３】図１のＡＶアンプ内蔵のＤＶＤプレーヤーの正面側を示す図である。
【図４】図３のＤＶＤプレーヤーの背面側を示す図である。
【図５】図１のＤＶＤプレーヤーのＡＶアンプの内部構成と、ステレオ動作状態とを示す図である。
【図６】図１のＤＶＤプレーヤーのＡＶアンプの内部構成と、サラウンド動作状態とを示す図である。
【図７】ＡＶシステムの動作を説明するためのフローチャートである。
【図８】従来のサラウンド動作状態を説明するための図である。
【図９】従来のＡＶアンプの内部構成の一例を示す図である。
【符号の説明】
【００４７】
１００  ＤＶＤプレーヤー 
１０６  オーディオ出力端子 
１０７  スピーカ端子 
１０８  スピーカ端子 
１１０  システムマイコン 
１２０  再生信号処理部 
１２０ａ  左フロント出力端 
１２０ｂ  右フロント出力端 
１２０ｃ  左リア出力端 
１２０ｄ  右リア出力端 
１３０  信号コントロール部 
１３０ａ〜１３０ｄ  切替スイッチ 
１３１ａ〜１３１ｄ  ボリュウムアンプ 
１４０ａ  フロント信号ラインアンプ 
１４０ｂ，１４０ｃ  パワーアンプ 
２００  テレビジョン装置（ＴＶ）
２０２，２０３  スピーカ 
３００  左ｃｈスピーカ 
４００  右ｃｈスピーカ 
【図１】
2006115023.tif 000003
【図２】
2006115023.tif 000004
【図３】
2006115023.tif 000005
【図４】
2006115023.tif 000006
【図５】
2006115023.tif 000007
【図６】
2006115023.tif 000008
【図７】
2006115023.tif 000009
【図８】
2006115023.tif 000010
【図９】
2006115023.tif 000011